(57)【要約】【課題】一方のトングプレートのみが挿入されたときには当該トングプレートを途中までしか挿入することができず、使用方法に誤りがあることを即座に認識することができるチャイルドシート用バックル装置を提供する。【解決手段】バックル装置１のエジェクタ４０は、回転ピン５５を揺動中心として揺動可能であると共に、トングプレート挿入方向にスライド可能となっている。バックル装置１には、エジェクタ４０が揺動したときに後退した該エジェクタ４０の一方の側の後縁に当接してその所定以上の後退を阻止するストッパ１８が設けられている。一方のトングプレート３１が挿入されることによりエジェクタ４０の一方の側のみが押されて退動するようエジェクタ４０が揺動した場合には、該一方の側がストッパ１８に当接してそれ以上の退動が阻止され、これにより、トングプレート３１がラッチ深さまで挿入されることが阻止される。【選択図】　図３
2004082751.tif 000002
【特許請求の範囲】
【請求項１】
１対のトングプレートが並列して挿入される挿入口と、
該挿入口に挿入されたトングプレートの先端が当接し、トングプレートに押されて退動するエジェクタと、
該エジェクタを反挿入方向に付勢する弾性体と、
トングプレートが所定深さまで該挿入口に挿入されたときに該トングプレートをラッチするラッチ手段と、
を有するチャイルドシート用バックル装置において、
該エジェクタは、並列して挿入された１対のトングプレートの先端がいずれも当接するように該挿入口の幅方向に延在すると共に、この延在方向の中間部を揺動中心として前記挿入方向に揺動可能であり、
該挿入口に一方のトングプレートのみが挿入されることにより該エジェクタの一方の側のみが押されて退動するよう揺動したときに、該エジェクタの該一方の側が当接してそれ以上の退動を阻止し、これにより、該一方のトングプレートが前記所定深さまで挿入されることを阻止するためのストッパが設けられていることを特徴とするチャイルドシート用バックル装置。
【発明の詳細な説明】
【０００１】
【発明の属する技術分野】
本発明はチャイルドシート用バックル装置に係り、特に一方のトングプレートのみが挿入されたときにラッチが行われないように構成されたチャイルドシート用バックル装置に関する。
【０００２】
【従来の技術】
自動車に搭載されるチャイルドシートのバックル装置として、特開平３−４９７０２号公報に記載の「ベルト留金−舌状体の組み合わせ体」（以下、先行バックル装置と記す。）がある。図５は先行バックル装置の疑似ラッチ防止機構の動作状態を示した断面図である。
【０００３】
図５（ａ）に示すように、バックル装置１００のカバー（符号略）内にはラッチスプリング（図示略）によって揺動可能に支持された横長形状のラッチプレート１０１が収容されている。このラッチプレート１０１の表面には２個のくさび状のラッチ爪１０２が突設されている。このラッチ爪１０２は、トングプレート１０３がバックル装置１００のトング挿入口１０４内に所定深さまで挿入された際に、トングプレート１０３の係合孔１０５と係合してトングプレート１０３をラッチする。該ラッチプレート１０１は、該ラッチ爪１０２が該係合孔１０５内に入り込むように該ラッチスプリングにより付勢されている。
【０００４】
このバックル装置１００には、左右のトングプレート１０３がそれぞれトング挿入口１０４に挿入されたときに、各トングプレート１０３に押されて該トングプレート１０３の挿入方向に退動する左右１対のエジェクタ１０６が設けられている。各エジェクタ１０６は、エジェクタスプリング１０７によってトングプレート１０３の反挿入方向に付勢されている。
【０００５】
このエジェクタ１０６はトングプレート１０３の先端１０３ａが係合可能な円弧状の凹部（符号略）を有している。該凹部の両端からそれぞれ該トングプレート１０３の反挿入方向に延出した伸長部１０６ａが形成されている。エジェクタ１０６が後退していないときには、この伸長部１０６ａの先端が前述のラッチプレート１０１の表面に重なり、ラッチ爪１０２がトングプレート１０３の係合孔１０５に入り込む手前で該ラッチプレート１０１を係止している。
【０００６】
左右のトングプレート１０３を揃えてトング挿入口１０４に挿入すると、各トングプレート１０３の先端１０３ａに押圧されて各エジェクタ１０６が同時にトングプレート挿入方向に退動し、両エジェクタ伸長部１０６ａがラッチプレート１０１の表面から外れる。これにより、該ラッチプレート１０１は、該伸長部１０６ａによる係止から解放されてラッチスプリングの付勢力により前進し、ラッチ爪１０２が該係合孔１０５に入り込んでトングプレート１０３がラッチされる。
【０００７】
また、図５（ｂ）に示すように、一方のトングプレート１０３のみが挿入された場合には、該トングプレート１０３が挿入された側のエジェクタ１０６のみが該トングプレート１０３に押されて該挿入方向に後退し、このエジェクタ１０６の伸長部１０６ａによるラッチプレート１０１の係止が解除される。しかし、トングプレート１０３が挿入されていない側のエジェクタ１０６が依然としてラッチプレート１０１を係止しているので、ラッチプレート１０１はラッチ爪１０２が係合孔１０５に入り込む位置までは前進できない。そのため、片方のトングプレート１０３のみが挿入された場合には、該トングプレート１０３はラッチプレート１０１によってラッチされない。
【０００８】
【発明が解決しようとする課題】
上記従来のチャイルドシート用バックル装置にあっては、一方のトングプレート１０３のみを挿入した場合でも、ラッチはされないものの、当該トングプレート１０３は奥深く挿入され得る。このような構成であると、使用者は、ラッチが効かないことを以ってバックル装置１００に故障が生じたものと勘違いすることがある。
【０００９】
本発明は、このような不具合を解消し、一方のトングプレートのみが挿入されたときには当該トングプレートを途中までしか挿入することができず、使用方法に誤りがあることを即座に認識することができるチャイルドシート用バックル装置を提供することを目的とする。
【００１０】
【課題を解決するための手段】
本発明のチャイルドシート用バックル装置は、１対のトングプレートが並列して挿入される挿入口と、該挿入口に挿入されたトングプレートの先端が当接し、トングプレートに押されて退動するエジェクタと、該エジェクタを反挿入方向に付勢する弾性体と、トングプレートが所定深さまで該挿入口に挿入されたときに該トングプレートをラッチするラッチ手段とを有するチャイルドシート用バックル装置において、該エジェクタは、並列して挿入された１対のトングプレートの先端がいずれも当接されるように該挿入口の幅方向に延在すると共に、この延在方向の中間部を揺動中心として前記挿入方向に揺動可能であり、該挿入口に一方のトングプレートのみが挿入されることにより該エジェクタの一方の側のみが押されて退動するよう揺動したときに、該エジェクタの該一方の側が当接してそれ以上の退動を阻止し、これにより、該一方のトングプレートが前記所定深さまで挿入されることを阻止するためのストッパが設けられていることを特徴とするものである。
【００１１】
かかるチャイルドシート用バックル装置によると、１対のトングプレートを揃えて挿入口に挿入するという正しい挿入方法を行ったときには、エジェクタはトングプレートに押されてスムーズに退動し、各トングプレートはいずれも所定深さまで挿入されてラッチされる。
【００１２】
一方のトングプレートのみが挿入口に挿入されたときには、このトングプレートに押されてエジェクタの一方の側が退動する。この場合、トングプレートが所定深さまで挿入される前に該エジェクタの一方の側がストッパに当接し、それ以上の退動が阻止され、それ以上のトングプレートの挿入が不能となる。即ち、使用者は、トングプレートが何かに強く押し当ったように感取し、挿入が不正であったことに気付き、バックル装置に故障が生じたものと勘違いすることが防止される。
【００１３】
【発明の実施の形態】
以下、図面を参照して実施の形態について説明する。図１は実施の形態に係るチャイルドシート用バックル装置の分解斜視図、図２はこのバックル装置とトングプレートの平面図、図３は一方のトングプレートのみバックル装置に挿入したときの平面図であり、図４は図２のＩＶ−ＩＶ線に沿う断面図である。
【００１４】
チャイルドシート用バックル装置１は、チャイルドシート（図示略）に着座した子供着座者の身体を該チャイルドシートに拘束するために、該着座者の両肩を押えるように該着座者の身体の前面に引き回される左右の肩ベルト２の先端に接続されたトング３をラッチするためのものである。
【００１５】
このバックル装置１は、図４において二点鎖線にて示すように、アッパーカバー１Ａとロアーカバー１Ｂとからなる外殻を有している。このカバー１Ａ及び１Ｂの先端（図４における左端）に、１対のトングプレート３１が並列して挿入される挿入口１ａの入口１ｅが設けられている。アッパーカバー１Ａは、正面中央部が切り欠かれた枠形状となっており、この正面中央部に、トングプレート３１のラッチ解除用のプレスボタン４が配置されている。なお、符号６はこのバックル装置１の後端（図４における右端）に接続されたクロッチベルトを示している。このクロッチベルト６は、チャイルドシート（図示略）の座部から着座者の股間を通るようにして着座者の前面に引き回される。
【００１６】
各トング３は、トングプレート３１と、このトングプレート３１の根元部に形成された把持部３２とから構成されている。この把持部３２には、トングプレート３１のトング挿入口１ａへの挿入方向と約４５°をなしてウェビング挿通孔３３が形成されている。この挿通孔３３に肩ベルト２を構成するウェビングが挿通されている。
【００１７】
対向する左右のトング３，３の各側面は、互いにピッタリと重なり合う直線形状のガイド面３４になっている。各ガイド面３４の中間位置には凹凸嵌合部３５が形成されている。この実施の形態では、凹凸嵌合部３５が嵌合するように該ガイド面３４，３４同士を重ね合わせることにより左右のトング３，３同士を揃えてバックル装置１に同時に挿入する。
【００１８】
カバー１Ａ，１Ｂ内には、ベースフレーム１０と、挿入口１ａに所定深さまで挿入された各トングプレート３１をラッチするためのラッチプレート２０と、該ラッチプレート２０をラッチ状態に付勢しているラッチスプリング６１と、前記プレスボタン４を押下したときに該ラッチプレート２０によるトングプレート３１のラッチを解除するボタンプレート６０と、ラッチが解除されたときに該トングプレート３１を挿入口１ａから押し出すエジェクタ４０とが設けられている。
【００１９】
ベースフレーム１０は、図１に示すように、略四角形状のベースプレート１１と、このベースプレート１１の先端側の両側辺から挿入口１ａに沿ってトングプレート挿入方向に延在するように立設された１対のラッチプレート支持部１２，１２とを有している。このベースプレート１１の後端側には前記クロッチベルト６挿通用開口１３が設けられている。また、挿入口１ａの奥側には、該トングプレート挿入方向と略平行方向に延在する左右１対のエジェクタガイド孔１４が設けられている。
【００２０】
左右のラッチプレート支持部１２には、それぞれ、互いに面対称形状となるように係止孔１５が形成されている。図１に示すように、この係止孔１５は、該ラッチプレート支持部１２の延在方向と略同一方向に延在しており、先半側が後半側よりも１段低くなった略クランク形状となっている。この係止孔１５の該先半側は先細で且つ後端側が開脚する如く拡大した略Ｖ字型孔部１５ａとなっており、後半側は該Ｖ字型孔部１５ａよりも開口面積が大きい拡径部１５ｂとなっている。
【００２１】
この拡径部１５ｂにラッチプレート２０の両側のタブ２１を差し込み、係止孔１５内を前方に移動させてＶ字型孔部１５ａ内に嵌合させることにより、該ラッチプレート２０を該Ｖ字形孔部１５ａ内に配置する。該Ｖ字形孔部１５ａ内において、該ラッチプレート２０は、後端側がベースプレート１１の板面に対し接離する方向に所定の振幅で揺動することができる。
【００２２】
なお、ラッチプレート２０の後端側には、挿入口１ａにトングプレート３１が所定深さまで挿入されたときに該トングプレート３１の係合孔３７に係合可能なラッチ爪２２が形成されている。このラッチ爪２２が該係合孔３７と係合することにより、トングプレート３１がラッチされる。
【００２３】
各ラッチプレート支持部１２の先端側には、後述するボタンプレート６０の耳軸６２を揺動可能に支持する軸受切欠部１６が形成されている。
【００２４】
各エジェクタガイド孔１４の後端には、後述するエジェクタ４０のガイドピース５０を装着するための略四角形状の拡幅部１４ａが形成されている。また、拡幅部１４ａの後端面には、該ガイドピース５０をトングプレート反挿入方向に付勢する弾性体としてのエジェクタスプリング４６の端部を固定するための略三角形状の突起１４ｃが形成されている。エジェクタスプリング４６は一端が該トングプレート１４ｃに定着され、他端は、エジェクタ４０の下面に一体的に形成されたガイドピース５０の後端側のスプリング受け部（図示略）に定着される。
【００２５】
エジェクタ４０は、図２に示すように、挿入口１ａを横断するようにベースプレート１１の幅方向に延在している。このエジェクタ４０の長手方向の中間部には支持円孔４３（図１）が形成されており、この支持円孔４３に回転ピン５５が嵌着されている。この回転ピン５５はベースプレート１１に形成された長円孔１７内に回転可能に差し込まれている。この長円孔１７は、トングプレート挿入方向と略平行方向に長く延在している。エジェクタ４０は、この回転ピン５５を揺動中心として揺動可能であると共に、該回転ピン５５が長円孔１７内を長手方向に移動することにより、トングプレート挿入方向にスライド可能となっている。
【００２６】
エジェクタ４０の下面には、各エジェクタガイド孔１４内に配置される左右１対のガイドピース５０が設けられている。各ガイドピース５０は、側面にガイド溝５１が形成されており、エジェクタガイド孔１４の拡幅部１４ａから該ガイド溝５１に該エジェクタガイド孔１４の両孔縁を係合させるようにして該エジェクタガイド孔１４内にスライド可能に装着される。
【００２７】
なお、各エジェクタガイド孔１４の内側孔縁１４ｂは、長円孔１７を中心とするように湾曲した円弧状となっており、エジェクタ４０が回転ピン５５を揺動中心として揺動するときに、各ガイドピース５０も該エジェクタ４０と一体に揺動できるようになっている。
【００２８】
左右のラッチプレート支持部１２からは、それぞれ、エジェクタ４０が揺動したときに後退してきた該エジェクタ４０の一方の側の後縁に当接してその所定以上の後退を阻止するストッパ１８が突設されている。そのため、一方のトングプレート３１が挿入されることにより該エジェクタ４０の一方の側のみが押されて退動した場合には、該一方の側がこのストッパ１８に当接してそれ以上の退動が阻止され、これにより、該一方のトングプレート３１がラッチプレート２０によってラッチされる深さまで挿入されることが阻止される。
【００２９】
ボタンプレート６０は、両端部に耳軸６２が形成されており、この耳軸６２が各ラッチプレート支持部１２の軸受切欠部１６に係止されている。このボタンプレート６０の後半側の正面に凸部状のプレスボタン４が一体的に形成されている。
【００３０】
ボタンプレート６０の裏面には、ラッチスプリング６１の力点部６１ａが当接している。このラッチスプリング６１は、ラッチプレート２０に当接した作用部６１ｂと、該力点部６１ａと作用部６１ｂとを開脚状に離反させる方向に付勢するコイル部６１ｃとを有している。該コイル部６１ｃはボタンプレート６０に形成されているバネ支持突起６４に嵌合支持されている。
【００３１】
また、ボタンプレート６０の裏面のラッチプレート２０に対向する部位には、三角形状突起６５が形成されている。この三角形状突起６５は、プレスボタン４が押下されたときにラッチプレート２０に当接して該ラッチプレート２０を回動させる。
【００３２】
以下に、このように構成されたチャイルドシート用バックル装置１のトングプレートラッチ動作について説明する。
【００３３】
トングプレート３１を挿入口１ａに挿入していない状態では、図２に示すように、左右のエジェクタスプリング４６が均等に伸長した状態にあり、エジェクタ４０の両ガイドピース５０はエジェクタガイド孔１４の先端位置までスライドした状態となっている。この状態で左右のトング３，３を揃えて挿入口１ａに同時に挿入すると、左右のトングプレート３１の先端３１ａがエジェクタ４０をトングプレート挿入方向に均等に押圧する。これにより、エジェクタ４０は揺動することなく、各トングプレート３１が所定深さまで差し込まれるまで後退し、各トングプレート３１がラッチプレート２０によってラッチされる。
【００３４】
図３に示すように、片方のトング３のみ（図３では右側のトング３のみ）が挿入口１ａに挿入されると、トングプレート３１の先端３１ａがエジェクタ４０の一方の側のみを押すので、エジェクタ４０は回転ピン５５を揺動中心として矢印Ｃ方向に揺動し、該エジェクタ４０の該一方の側のみが後退する。このエジェクタ４０の該一方の側は、トングプレート３１が所定深さまで差し込まれる前にストッパ１８に当接し、それ以上の後退が阻止されるため、トングプレート３１を所定深さまで挿入口１ａに挿入することができず、トングプレート３１はラッチされない。
【００３５】
トングプレート３１のラッチを解除する場合には、プレスボタン４を図４（ｂ）の矢印Ａ方向に押下する。このときボタンプレート６０の裏面に形成されている三角形状突起６５がラッチプレート２０の端部を押圧する。これによりラッチプレート２０は上方に向かって回動し、ラッチ爪２２が係合孔３７から抜け出してトングプレート３１のラッチが解除される。このようにしてラッチが解除されると、トングプレート３１はエジェクタスプリング４６の付勢力により図４（ｂ）の矢印Ｂ方向へ押し出され、バックル装置１から解離される。
【００３６】
このチャイルドシート用バックル装置１にあっては、１対のトングプレート３１を揃えて挿入口１ａに挿入するという正しい挿入方法を行ったときには、エジェクタ４０はトングプレート３１に押されてスムーズに退動し、各トングプレート３１はいずれも所定深さまで挿入されてラッチされる。また、一方のトングプレート３１のみが挿入口１ａに挿入されたときには、このトングプレート３１に押されてエジェクタ４０の一方の側が退動し、トングプレート３１が所定深さ（ラッチ深さ）まで挿入される前に該エジェクタ４０の一方の側がストッパ１８に当接し、それ以上の退動が阻止され、それ以上のトングプレート３１の挿入が不能となる。
【００３７】
即ち、使用者は、トングプレート３１が何かに強く押し当ったように感取し、挿入が不正であったことに気付き、バックル装置に故障が生じたものと勘違いすることが防止される。
【００３８】
なお、上記の実施の形態は本発明の一例であり、本発明は上記実施の形態に限定されるものではない。
【００３９】
【発明の効果】
以上の通り、本発明によると、一方のトングプレートのみが挿入されたときには当該トングプレートを途中までしか挿入することができず、使用方法に誤りがあることを即座に認識することができるチャイルドシート用バックル装置が提供される。
【図面の簡単な説明】
【図１】実施の形態に係るチャイルドシート用バックル装置の分解斜視図である。
【図２】バックル装置とトングプレートの平面図である。
【図３】一方のトングプレートのみバックル装置に挿入したときの平面図である。
【図４】図２のＩＶ−ＩＶ線に沿う断面図である
【図５】先行バックル装置の疑似ラッチ防止機構の動作状態を示した断面図である。
【符号の説明】
１　チャイルドシート用バックル装置
１ａ　トングプレートの挿入口
３　トング
４　プレスボタン
１１　ベースプレート
１２　ラッチプレート支持部
１４　エジェクタガイド孔
１７　長円孔
１８　ストッパ
２０　ラッチプレート
２２　ラッチ爪
３１　トングプレート
４０　エジェクタ
４６　エジェクタスプリング
５０　ガイドピース
５５　回転ピン
６１　ラッチスプリング
【図１】
2004082751.tif 000003
【図２】
2004082751.tif 000004
【図３】
2004082751.tif 000005
【図４】
2004082751.tif 000006
【図５】
2004082751.tif 000007